(57)【特許請求の範囲】
【請求項１】
反射光学素子、特にマイクロリソグラフィの光学特性を測定する測定構成体であって、
‐ＥＵＶ光源（５）と、
‐前記反射光学素子（１０）に反射したＥＵＶ放射を検出する検出器（２０）と、
‐前記反射光学素子（１０）の物点を前記検出器（２０）の像点にそれぞれ結像する結像システム（３０，４０，５０，６０，７０，８０，９０）とを備え、
‐前記結像システムは、前記ＥＵＶ放射を反射するために、１つの第１光学構成部品（３１，４１，５１，６１，７１，８１，９１）及び少なくとも１つの第２光学構成部品（３２，４２，５２，６２，７２，８２，９２）を有し、
‐前記第１光学構成部品（３１，４１，５１，６１，７１，８１，９１）及び前記第２光学構成部品（３２，４２，５２，６２，７２，８２，９２）において、前記ＥＵＶ放射の反射中に発生する、面法線に対する反射角度はそれぞれ少なくとも７０°である測定構成体。
【請求項２】
請求項１に記載の測定構成体において、前記第１光学構成部品（３１，４１，５１，６１，７１，８１，９１）及び前記第２光学構成部品（３２，４２，５２，６２，７２，８２，９２）はそれぞれ円錐断面を有することを特徴とする測定構成体。
【請求項３】
請求項１又は２に記載の測定構成体において、前記第１光学構成部品（３１，４１，５１，６１，７１，８１，９１）は楕円体ミラーであることを特徴とする測定構成体。
【請求項４】
請求項１〜３の何れか一項に記載の測定構成体において、前記第２光学構成部品（３２，４２，５２，６２）は双曲面ミラーであることを特徴とする測定構成体。
【請求項５】
請求項１〜３の何れか一項に記載の測定構成体において、前記第２光学構成部品（７２，８２，９２）は楕円体ミラーであることを特徴とする測定構成体。
【請求項６】
請求項１〜５の何れか一項に記載の測定構成体において、前記第１光学構成部品（３１，４１，５１，６１，７１，８１，９１）の焦点及び前記第２光学構成部品（３２，４２，５２，６２，７２，８２，９２）の焦点は一致することを特徴とする測定構成体。
【請求項７】
請求項１〜６の何れか一項に記載の測定構成体において、前記検出器（２０）はＣＣＤカメラ又はＣＭＯＳセンサを有することを特徴とする測定構成体。
【請求項８】
請求項１〜７の何れか一項に記載の測定構成体において、前記反射光学素子（１０）はマイクロリソグラフィ投影露光装置.のミラーであることを特徴とする測定構成体。
【請求項９】
請求項１〜７の何れか一項に記載の測定構成体において、前記反射光学素子（１０）はファセットミラー、特にマイクロリソグラフィ投影露光装置の照明装置の視野ファセットミラー又は瞳ファセットミラーのミラーファセットであることを特徴とする測定構成体。
【請求項１０】
請求項１〜７の何れか一項に記載の測定構成体において、前記反射光学素子はマイクロリソグラフィマスクであることを特徴とする測定構成体。
【請求項１１】
請求項１〜１０の何れか一項に記載の測定構成体において、前記ＥＵＶ光源（５）は、少なくとも△λ＝１ｎｍ、特に少なくとも△λ＝３ｎｍ、より特に少なくとも△λ＝５ｎｍ、更に特に少なくとも△λ＝１０ｎｍ、また更に特に少なくとも△λ＝２０ｎｍの波長間隔に亘って異なる波長のＥＵＶ放射を生成する広帯域光源または調整可能な光源であることを特徴とする測定構成体。
【請求項１２】
請求項１〜１０の何れか一項に記載の測定構成体において、所定波長間隔に亘って、１００μｍ未満、特に５０μｍ未満、特に２０μｍ未満、より特に１０μｍ未満の横空間分解能を有することを特徴とする測定構成体。
【請求項１３】
請求項１２に記載の測定構成体において、前記波長間隔は少なくとも△λ＝３ｎｍ、より特に少なくとも△λ＝５ｎｍ、更に特に少なくとも△λ＝１０ｎｍ、そしてより特に少なくとも△λ＝２０ｎｍであることを特徴とする測定構成体。
【請求項１４】
マスク検査システムであって、請求項１〜１３の何れか一項に記載の測定構成体を有することを特徴とするマスク検査システム。
【請求項１５】
ＥＵＶ顕微鏡であって、請求項１〜１３の何れか一項に記載の測定構成体を有することを特徴とするＥＵＶ顕微鏡。
【請求項１６】
反射光学素子、特にマイクロリソグラフィの光学特性を測定する方法であって、前記反射光学素子（１０）はＥＵＶ光源（５）のＥＵＶ放射で照射され、前記反射光学素子（１０）の物点は結像システム（３０，４０，５０，６０，７０，８０，９０）によって検出器（２０）の像点にそれぞれ結像され、このために請求項１〜１３の何れか一項に記載の測定構成体を使用することを特徴とする方法。
【請求項１７】
請求項１６に記載の方法において、前記反射光学素子（１０）の前記物点の検出器（２０）の像点へのそれぞれの結像は、該結像の使用波長に応じて異なる複数のサブステップによって行われることを特徴とする方法。
【発明の詳細な説明】
【関連出願の相互参照】
【０００１】
本願は、２０１３年１１月２８日に出願された、ドイツ特許出願第10 2013 224 435.5号の優先権を主張するものであり、その内容は、本明細書中に参考として援用される。
【技術分野】
【０００２】
本発明は、反射光学素子、特にマイクロリソグラフィの光学特性を測定する測定構成体に関する。
【背景技術】
【０００３】
マイクロリソグラフィは、例えば集積回路またはＬＣＤなどの微細構造部品の製造に使用される。マイクロリソグラフィプロセスは、照明装置や投影レンズを有する、いわゆる投影露光装置で行われる。この場合、照明装置によって照射されたマスク（レチクル）の像は、マスク構造を基板の感光性被覆に転写するため、感光層（フォトレジスト）によって被覆され、投影レンズによって、投影レンズの結像面に配置された基板（例えばシリコンウエハ）に投影される。
【０００４】
ＥＵＶ範囲、すなわち、例えば、約１３ｎｍ又は約７ｎｍの波長用に設計された投影レンズに関しては、適切な光透過性屈折材料がないため、結像プロセスの光学構成部品としてミラーが使用される。このようなＥＵＶミラーは、典型的に、ミラー基板と、光学的に有効な表面に入射する電磁放射を反射させるための、複数の層パッケージ（layer packet）から構成される反射積層とを有している。ＥＵＶ範囲での動作用に設計されたマイクロリソグラフィ投影露光装置の照明装置において、特に合焦構成部品として視野ファセットミラー及び瞳ファセットミラーの形態のファセットミラーを使用することは、例えば、特許文献１から知られている。このようなファセットミラーは、多数の個別のミラー又はミラーファセットで構成される。
【０００５】
実際、このようなミラー又はミラー構成体の反射特性を可能な限り高い精度で測定する必要性や、特に、上述のファセットミラーのような比較的小さいミラーを含むミラー構成体においては、これらの特性を高い空間分解能で測定する必要性がしばしばある。しかしながらここで、この目的のために、考えうる個々の測定スポットの縮小を行うと、その測定スポットの縮小とともに、ビーム拡がり角の増加又は強度の低下を伴い、このため入射角の異なる比較的広域のスペクトルが得られ、最終的に測定で達成されるスペクトル分解能が損なわれるという制限を有するという問題が発生する。
【０００６】
反射光学素子における反射特性の空間分解測定のために、例えばＣＣＤカメラの形態の検出器を、表面全体が照射された被検査反射面の遠視野に配置することも知られている。しかしながらここで、被検査反射面の粗さ（例えば、良好に研磨されている、又は、反射膜が均一に塗布されている場合に限る）により、この表面で反射されるそれぞれの波面に変形が生じ、検出器に望ましくない干渉効果がもたらされるという更なる問題が生じる。検出器において、測定された強度分布の変動が反射性の不均一性又は被検査反射面のむらによるものかどうかを区別するのは容易でないため、上述の干渉効果は測定精度の低下をもたらす。
【０００７】
従来技術として、特許文献２、特許文献３及び非特許文献１を単なる例として参照する。
【先行技術文献】
【特許文献】
【０００８】
【特許文献１】ドイツ公開特許第10 2008 009 600 A1号
【特許文献２】米国特許第2,759,106号明細書
【特許文献３】米国特許第7,016,030B2号明細書
【非特許文献】
【０００９】
【非特許文献１】U.D. Zeitner氏らによる、「Schwarzschild-Objective-Based EUV Micro Exposure Tool」、SPIE-Proceedings社、第6151巻、２００６年３月
【発明の概要】
【発明が解決しようとする課題】
【００１０】
本発明の課題は、反射光学素子、特にマイクロリソグラフィの光学特性を測定し、上述の問題を少なくとも大幅に回避し、一方で高空間分解能を可能にする測定構成体を提供することである。
【課題を解決するための手段】
【００１１】
この課題は独立請求項１の特徴に係る測定構成体によって達成される。
【００１２】
反射光学素子、特にマイクロリソグラフィの光学特性を測定する、本発明による測定構成体は、
‐ＥＵＶ光源と、
‐反射光学素子で反射されるＥＵＶ放射を検出する検出器と、
‐反射光学素子の物点を検出器の像点にそれぞれ結像する結像システムとを有し、
‐結像システムは、ＥＵＶ放射を反射するための、１つの第１光学構成部品及び少なくとも１つの第２光学構成部品を有し、
‐第１光学構成部品及び第２光学構成部品において、ＥＵＶ放射の反射中に発生する、面法線に対する反射角度はそれぞれ少なくとも７０°（「かすり入射」）である。
【００１３】
本発明は、特に、反射光学素子の被検査反射面（「試料」）と検出器の間の結像システムを使用して、試料の場所又は物点を検出器の場所又は像点に結像し、その結果、検出器の各像点に、反射光学素子の反射面又は被検査試料の場所又は物点からもたらされる強度のみが生成されるという概念に基づくものである。
【００１４】
換言すれば、検出器（例えばＣＣＤカメラ）上の各点は、試料上の点に厳密に対応し、試料上の複数の点を「混合したもの」（カメラ上で照射される共通の点）には対応しない。通常、反射光学素子又は被検査試料の１つの（物）点のみが検出器の１つの点に結像されるので、試料の複数の（像）点から検出器の１つの（像）点に複数の強度が重畳されることはなく、冒頭に記載した望ましくない干渉パターンを回避することができる。
【００１５】
その結果、比較的高い空間分解能（例えば１００μｍ以下、特に２０μｍ以下）を達成することができる。
【００１６】
更に、本発明による測定構成体において使用する結像システムの、被検査反射光学素子と検出器の間にある光学構成部品はそれぞれかすり入射で動作されるので、例えば、垂直入射の配置において存在する狭帯域波長の制限も回避され、広帯域反射率測定が可能となる。特に、被検査試料上の（物）点の反射スペクトルは、反射特性に関する、（例えば、波長範囲における最大反射率のレベル及びスペクトル位置と、もしあれば、隣接する最小反射率のレベル及びスペクトルの位置とを含む）より包括的な情報を取得するように決定することができ、例えば反射層厚などの試料特性に関する結論を引き出すことができる。
【００１７】
本発明によって達成される更なる利点は、例えば、顕微鏡の適用において、本発明による測定構成体によって提供される広帯域能力により、相互に異なる波長で反射する個々のサブ構造体を有する構造体の、十分な空間分解能又は高コントラストでの検査が可能になることである。このような場合、以下に詳述するように、単一の波長で構造体全体の顕微鏡検査を行う代わりに、それぞれの場合で種々に設定された波長又は光源、又は十分に広い帯域の光源を使って顕微鏡検査を複数のサブステップで行い、均一反射（例えば単一の中間帯域の波長を使って行う）の代わりに、使用される波長に従って、比較的高いコントラストで個々の構造体を解像することが可能である。
【００１８】
一実施形態によれば、第１光学構成部品及び第２光学構成部品はそれぞれ円錐形の断面を有する。
【００１９】
一実施形態によれば、第１光学構成部品は楕円体ミラーである。第２光学構成部品は、例えば、双曲面ミラー又は楕円体ミラーであり得る。この場合、特に、第１光学構成部品の焦点と第２光学構成部品の焦点とは一致し得る。
【００２０】
一実施形態によれば、検出器はＣＣＤカメラ又はＣＭＯＳセンサを有する。
【００２１】
一実施形態によれば、反射光学素子はミラー又はマイクロリソグラフィ投影露光装置である。
【００２２】
一実施形態によれば、反射光学素子は、マイクロリソグラフィ投影露光装置の照射装置のファセットミラー、特に視野ファセットミラー又は瞳ファセットミラーのミラーファセットである。
【００２３】
一実施形態によれば、反射光学素子はマイクロリソグラフィマスクである。従って本発明は、マイクロリソグラフィマスクを検査するマスク検査システムにおいて有利に実現することができる。
【００２４】
一実施形態によれば、ＥＵＶ光源は、少なくとも△λ＝１ｎｍ、特に少なくとも△λ＝３ｎｍ、より特に少なくとも△λ＝５ｎｍ、更に特に少なくとも△λ＝１０ｎｍ、また更に特に少なくとも△λ＝２０ｎｍの波長間隔に亘って異なる波長のＥＵＶ放射を生成する光源である。ＥＵＶ光源は、連続する波長スペクトルにおいてＥＵＶ放射を生成する広帯域光源、又は種々の狭帯域波長範囲に設定することの可能な光源として構成することができる。
【００２５】
一実施形態によれば、測定構成体は所定の波長間隔に亘って、１００μｍ未満、特に５０μｍ未満、より特に２０μｍ未満、そして更に特に１０μｍ未満の横空間分解能（線幅又はＣＤ「臨界寸法」と称されることもある）を有する。
【００２６】
一実施形態によれば、この波長間隔は少なくとも△λ＝３ｎｍ、特に少なくとも△λ＝５ｎｍ、より特に少なくとも△λ＝１０ｎｍ、そして更に特に少なくとも△λ＝２０ｎｍである。
【００２７】
更なる態様によれば、本発明は、反射光学素子、特にマイクロリソグラフィの光学特性を測定する測定構成体にも関するものであり、
‐ＥＵＶ光源と、
‐反射光学素子で反射されるＥＵＶ放射を検出する検出器と、
‐反射光学素子の物点を検出器の像点にそれぞれ結像する結像システムとを有し、
‐測定構成体は少なくとも△λ＝３ｎｍの所定の波長間隔に亘って、１００μｍ未満の横空間分解能を有する。
【００２８】
本発明は更に上述の特徴を持つ測定構成体を有するマスク検査システムにも関する。
【００２９】
本発明は更に上述の特徴を持つ測定構成体を有するＥＵＶ顕微鏡にも関する。
【００３０】
更なる態様によれば、本発明は反射光学素子、特にマイクロリソグラフィの光学特性を測定する方法に関するものでもあり、反射光学素子はＥＵＶ光源のＥＵＶ放射によって照射され、反射光学素子の物点は結像システムによって、検出器の像点にそれぞれ結像され、上述の特徴を持つ測定構成体が使用される。
【００３１】
一実施形態によれば、反射光学素子の物点の検出器の像点への結像はそれぞれ、結像における動作波長が相互に異なる複数のサブステップによって行われる。その結果、上述の様に、個々の構造体は、（例えば単一の中域波長を使用して達成される）均一な反射に代わり、使用される波長に従った比較的高いコントラストで解像できるようになる。
【００３２】
本発明の更なる構成は、明細書及び従属請求項から理解できる。
【００３３】
本発明を、添付の図面に示す例示的実施形態に基づいて詳述する。
【図面の簡単な説明】
【００３４】
【図１】本発明による測定構成体の概略図である。
【図２】ａ〜ｆは、本発明による測定構成体で使用することのできる結像システムの種々の実施形態を説明する概略図である。
【図３】本発明の特定の実施形態を説明する概略図である。
【図４】マスク検査システムにおける本発明の実行可能な適用を説明する概略図である。
【図５】ＥＵＶ顕微鏡における本発明の更なる適用を説明する概略図である。
【図６】マイクロリソグラフィ投影露光装置において実行可能な構造体の概略図である。
【発明を実施するための形態】
【００３５】
先ず、例示的実施形態に基づき、マイクロリソグラフィの反射光学素子の反射特性を測定する、本発明による測定構成体の基本構造を、図１の概略図を参照して以下に説明する。
【００３６】
本測定構成体において、図１によれば、ＣＣＤカメラの形態の検出器２０は、ＥＵＶ光源５によって電磁ＥＵＶ放射で照射された、反射光学素子１０の投影像に配置される。ＥＵＶ光源５によって放出され、反射光学素子１０によってＣＣＤカメラに反射されるＥＵＶ放射の結像は結像システム３０によって行われ、この結像システムは、図１の例示的実施形態において、楕円体ミラーの形態の第１光学構成部品３１及び双曲面ミラーの形態の第２光学構成部品３２を有している（対応する楕円又は双曲線をそれぞれ図１に点線で示す）。反射光学素子１０は、この場合、ＥＵＶ光源５の遠視野又は焦点の何れかに位置し得る。
【００３７】
また、光学構成部品３１又は３２の垂直線に対する電磁ＥＵＶ放射の反射角がそれぞれ少なくとも７０°である限り、結像システム３０の光学構成部品３１及び３２においてそれぞれ「かすり入射」が発生する。
【００３８】
更なる実施形態において、ＣＭＯＳセンサは検出器２０としても使用することができる。更に、検出器２０として使用される（ＣＭＯＳ又はＣＣＤ）センサは、後露光装置と共に構成することもできる。更に、（例えば検出を簡単にするため、電磁ＥＵＶ放射を可視光へ変換するために）対応するイメージセンサに蛍光層を設けてもよい。
【００３９】
図２ａ〜図２ｆは、本発明の測定構成体において使用することのできる結像システムの更に異なる実施形態を説明する概略図である。図２ａ〜図２ｆは、当該結像システムにおける代替的な光学素子の組み合わせを示すだけのものである。また、いずれの場合にも、（すなわち、楕円体ミラー又は双曲面ミラーの）これらの光学構成部品のパラメータを適切に選択することによって、図１と同様の方法で、当該ミラー表面において上述のかすり入射を確保することができる。
【００４０】
図２ａによれば、本発明による測定構成体で使用される結像システム４０は、楕円体ミラーの形態の第１光学構成部品４１及び双曲面ミラーの形態の第２光学構成部品４２を有し、楕円体ミラーの第２焦点と双曲面ミラーの第２焦点は一致し、双曲線の凸側が使用される。
【００４１】
図２ｂによれば、更なる実施形態において、本発明による測定構成体で使用される結像システム５０は、楕円体ミラーの形態の第１光学構成部品５１及び双曲面ミラーの形態の第２光学構成部品５２を有し、双曲面ミラーの第１焦点と楕円体ミラーの第１焦点は一致し、双曲線の凹側が使用される（このシステムは「ヴォルタータイプＩシステム」とも称される）。
【００４２】
図２ｃによれば、更なる実施形態において、本発明による測定構成体で使用される結像システム６０は、楕円体ミラーの形態の第１光学構成部品６１及び双曲面ミラーの形態の第２光学構成部品６２を有し、双曲面ミラーの第２焦点と楕円体ミラーの第１焦点は一致する（このシステムは「ヴォルタータイプＩＩシステム」とも称される）。
【００４３】
図２ｄによれば、本発明による測定構成体の更なる実施形態で使用される結像システム７０は、楕円体ミラーの形態の第１光学構成部品７１及び楕円体ミラーの形態の第２光学構成部品７２を有し、第１楕円体ミラーの第２焦点と第２楕円体ミラーの第１焦点は一致する。
【００４４】
図２ｅによれば、更なる実施形態において、本発明による測定構成体で使用される結像システム８０は、楕円体ミラーの形態の第１光学構成部品８１及び楕円体ミラーの形態の第２光学構成部品８２を有し、第１楕円体ミラーの第２焦点と第２楕円体ミラーの第２焦点は一致する。
【００４５】
上述の実施形態において、結像システムにおける光学構成部品の回転軸は、いずれの場合においても一致するが、本発明はこれに限定されない。説明のため、図２ｆは、図２ｅの構成体を変更したものを単なる例として示しており、この例では、結像システム９０において、楕円体ミラーの形態の第２光学構成部品９２は、第１光学構成部品９１に対して楕円体の回転軸で回転している。
【００４６】
更に、図２ａ〜図２ｆに示す光学構成部品の組み合わせを、当該結像システムにおいて両方向（反対方向）の光伝搬で実現することができる。また、結像システムの光学構成部品は必ずしも回転対称である必要はない。このような組み合わせはそれぞれ楕円面（plane-elliptical）ミラー又は双曲面（plane-hyperboloidal）ミラーとして実現することもできる。
【００４７】
表１及び表２には、図１及び図２ａに基づいてそれぞれ示される基本構造を有し、本発明による測定構成体で使用することのできる結像システムの設計データを、単なる例として、また、特定の例示的実施形態を示すために記載する。図３には表１及び表２に記載されるミラーパラメータを表示し、定義している。
【００４８】
本設計の特に有利な面は、結像システムの２つの光学構成部品又はミラーが比較的近づけて配置されているため、これらのミラーを実際の測定構成体の外で、要求される調整精度（例えば、１μｍオーダー）へと適切な方法で相互に調整し、共に測定構成体へ戻すことができることである。
【００４９】
図４は、本発明による測定構成体を使用してマイクロリソグラフィマスクを検査する、マスク検査システムの構造例を概略的に示したものである。
【００５０】
図４によれば、光源４０１の電磁放射（例えばＥＵＶ範囲の波長）は、マスクステージ４０３に位置するマイクロリソグラフィマスク４０４を照射するために、照射光学ユニット４０２に入射される。光源４０１は、例えば、調整可能な波長（例えば６．７ｎｍ又は１３．５ｎｍ）を有し得る。更なる実施形態において、光源４０１は広帯域光源（例えば、波長６．７ｎｍの電磁放射及び波長１３．５ｎｍの電磁放射をどちらも生成する）としても構成することができる。更に、照射光学ユニット４０２は調整可能な波長選択性（wavelength selection）を有する。
【００５１】
図４によれば、マイクロリソグラフィマスク４０４で反射された電磁放射は、上述の実施形態によって構成される結像システム４０５に入射され、結像システムは上述の実施形態によって構成することができ、特に上述の実施形態によって構成される光学構成部品４０６及び４０７を有する。上述の実施形態と同様に、結像システム４０５から放射される電磁放射は、検出器４０８（例えば、ＣＣＤカメラ又はＣＭＯＳセンサ）に入射される。
【００５２】
図５は、顕微鏡、特に種々の波長を持つＥＵＶ顕微鏡における、本発明の更なる有利な適用を説明する概略図である。図５において、「５００」は顕微鏡で検査される試料を示し、簡単な例示的実施形態で説明すると、これは第１層厚のストライプ５０１ａ、５０１ｂ…及び第１層厚とは異なる第２層厚のストライプ５０２ａ、５０２ｂ…を含むストライプパターンを含み、図５に概略的に描かれた反射率は、これらのストライプにおいて、相互に異なる波長（約１３ｎｍ及び約１４ｎｍ）で最大７０％である。図５に概略的に示す様に、１つの波長１３．５ｎｍを使用する顕微鏡検査では、ほぼ均一の強度を持つ低コントラストの投影像５０２のみが生成されるが、第１波長１３ｎｍ及び第２波長１４ｎｍの両方を使用する顕微鏡検査では、５０１ａ、５０１ｂ…及び５０２ａ、５０２ｂ…の両方のパターンで高コントラスト分解能を有する投影像５０１及び５０３がそれぞれ生成される。換言すれば、本発明による測定構成体によって実現することのできる帯域幅（broadband capability）は、相互に異なる波長で電磁放射を反射する種々の構造体を、増大されたコントラスト、又は高い空間分解能で顕微鏡検査するために使用することができる。
【００５３】
更なる適用において、本発明による測定構成体は、特にＥＵＶ範囲での動作のために設計された、マイクロリソグラフィ投影露光装置におけるミラーの反射特性を決定するためにも使用することができる。図６は、ＥＵＶ範囲での動作のために設計された投影露光装置用の例示的な概略図を示す。
【００５４】
図６によれば、ＥＵＶ用に設計された投影露光装置６００の照明装置は、視野ファセットミラー６０３及び瞳ファセットミラー６０４を備えている。プラズマ光源６０１及び集光ミラー６０２を含む光源ユニットからの光は、視野ファセットミラー６０３に向けられる。第１望遠鏡ミラー６０５及び第２望遠鏡ミラー６０６は、瞳ファセットミラー６０４の下流の光路に配置されている。光路の下流には偏向ミラー６０７が配置され、これは、偏向ミラーに入射される放射を、６つのミラー６５１〜６５６を含む投影レンズの物体平面内の物体視野に向ける。物体視野では、マスクステージ６２０に反射構造のマスク６２１が配置され、これは投影レンズで結像面に結像され、結像面では、ウエハステージ６６０上に感光層（フォトレジスト）で被覆された基板６６１がある。
【００５５】
本発明を特定の実施形態に基づいて説明したが、例えば、個々の実施形態の特徴の組み合わせ及び／又は交換による多くの変形及び変更が当業者には明らかである。従って言うまでもなく、当業者はこのような変形及び変更実施形態は本発明にも含まれると理解しており、発明の範囲は、添付の特許請求項及びその同等物によってのみ制限される。
【００５６】
【表１】
0006546172.tif 000002
【００５７】
【表２】
0006546172.tif 000003
【図１】
0006546172.tif 000004
【図２ａ】
0006546172.tif 000005
【図２ｂ】
0006546172.tif 000006
【図２ｃ】
0006546172.tif 000007
【図２ｄ】
0006546172.tif 000008
【図２ｅ】
0006546172.tif 000009
【図２ｆ】
0006546172.tif 000010
【図３】
0006546172.tif 000011
【図４】
0006546172.tif 000012
【図５】
0006546172.tif 000013
【図６】
0006546172.tif 000014